(57)【要約】【課題】より滑らかな穴断面を有する容器及びその製造方法を提供すること。【解決手段】コア２１と、キャビティ２２と、スライドコア２３と、を間隙を設けて配置し、間隙に樹脂を充填することによって、穴のあいた容器本体部と、容器本体部の穴を覆うことが可能な蓋部と、を有する容器を製造する方法であって、コア２１とキャビティ２２の間隙に樹脂を充填することにより容器本体部の一部を形成すると共に、コア２１の一部とキャビティ２２の一部とを接触させて容器本体部の一部に穴を形成し、キャビティ２２とスライドコア２３の間隙に樹脂を充填することにより蓋部を形成し、スライドコア２３とコア２１との間隙に樹脂を充填することにより前記容器本体部の残りの一部を形成する容器の製造方法とする。【選択図】図３
2010120308.tif 000002
【特許請求の範囲】
【請求項１】
コアと、キャビティと、スライドコアと、を間隙を設けて配置し、前記間隙に樹脂を充填することによって、穴のあいた容器本体部と、前記容器本体部の前記穴を覆うことが可能な蓋部と、を有する容器を製造する方法であって、
前記コアと前記キャビティの間隙に樹脂を充填することにより前記容器本体部の一部を形成すると共に、前記コアの一部と前記キャビティの一部とを接触させて前記容器本体部の一部に穴を形成し、
前記キャビティと前記スライドコアの間隙に樹脂を充填することにより蓋部を形成し、
前記スライドコアと前記コアとの間隙に樹脂を充填することにより前記容器本体部の残りの一部を形成する、容器の製造方法。
【請求項２】
前記蓋部は、前記容器本体部の上面と蓋部の内側面との角度が９０度より大きく１８０度以下の状態で形成される請求項１記載の容器の製造方法。
【請求項３】
前記コアには前記穴を形成するための穴形成部が形成され、
前記キャビティにも、前記コアの穴形成部に組合わされる穴形成部が形成されている、請求項１記載の容器の製造方法。
【請求項４】
前記コアとキャビティとを組み合わせる方向と略垂直な方向から、前記スライドコアが挿入及び配置される、請求項１記載の容器の製造方法。
【請求項５】
穴が形成された容器本体部と、ヒンジ部を介して前記容器本体部と接続された蓋部と、を有する容器であって、
前記容器本体部の穴の内側断面は、内周面の上下端が角の無い曲面となっている容器。
【発明の詳細な説明】
【技術分野】
【０００１】
本発明は、一般には、容器及びその製造方法に関し、詳細には、金型に樹脂を充填することにより容器を製造する方法とそれにより製造される容器に関する。
【背景技術】
【０００２】
菓子等の容器には一般に紙が多く用いられているが、樹脂からなる容器は密封性が高く、紙に比べて強度もあり、更に、様々な形に容易に成型が可能なため、樹脂からなる容器を用いた菓子容器は近年多く用いられるようになってきている。
【０００３】
樹脂からなる容器を用いた例としては、例えば図８で示すように、菓子等を収納する紙で構成された下側の容器９１と、この下側の容器９１に嵌め合わされる樹脂からなる上側の容器９２とを組み合わせたものがある。そして、この上側の容器９２には、下側容器内に収納される菓子を取り出すための穴９２１１が容器本体部９２１に形成され、更に、この穴９２１１を塞ぐことのできる蓋部９２２がヒンジ部９２３を介して容器本体部９２１と一体に成型されている。なおこの蓋部９２２は、折れ曲がった部分９２２１を有しており、またヒンジ部９２３を介して蓋部全体を折り曲げ可能であり、この商品を購入した消費者は、必要な時に蓋部９２２をあけて所望の量だけ中の菓子を取り出し、所望の量だけ取り出した後、蓋部９２２を閉じ、容器内の菓子をこぼさないよう保存することができる。
【発明の開示】
【発明が解決しようとする課題】
【０００４】
上記容器は非常に有用である。しかしながら、この容器を製造する従来の工程では、どうしても菓子を取り出す穴９２１１の内側部分しかも上面部にバリが残ってしまうという課題がある。このバリは、手触りが良くないといった課題がある。
【０００５】
上側の容器（以下単に「容器」という。）は、上記のとおり容器本体部９２１と、蓋部９２２と、を有しており、容器本体部９２１と蓋部９２２は、ヒンジ部９２３を介して一体に成形されている。よって公知の製造方法は、容器９２の形状とほぼ同じ形状の間隙が形成された金型を使用し、その金型に溶融した樹脂を充填することで、図８で示すような容器９２を得ることができる。ここで図９、図１０を用いて、従来の上側の容器の製造方法（以下「公知の製造方法」ともいう。）の概略を説明する。図９は、容器を製造するために用いられる金型を示す図であり、図１０は、図９の一部（図中点線の丸で囲まれた部分近傍）の部分拡大図である。
【０００６】
具体的に説明すると図９、図１０で示す金型は、容器９２の内面に対応した面８１１が形成され、また、菓子等を取り出すための穴に対応した穴形成部８１２が形成されたコア８１と、このコア８１と対向しかつ間隙を有して配置されるキャビティ８２と、コア８１の面８１１に略平行な方向であって、コア８１の穴形成部８１２が形成されている側（図９中の矢印参照、蓋の内側となるため以下「蓋内面側」ともいう。）から挿入、配置されるスライドコア８３と、を有して構成されている。このようにすることで折れ曲がった部分９２２１の形成された蓋９２２のついた容器を形成することができる。
【０００７】
しかしながら、図９、図１０で示されるように、スライドコア８３は、蓋の折れ曲がった部分９２２１の存在により蓋内面側から挿入し、樹脂を充填し冷却した後、引抜く必要があるため、スライドコア８３の下面８３１を平らにし、コア８１に穴を形成するための凹凸を全て設けておく必要がある。しかも一般に、金型の接触による摩耗を防ぐため、コア８１とスライドコア８３とを強く密着させることができず、結果的に０．０１〜０．０２ｍｍ程度の隙間８１３があいてしまう。そして樹脂充填の際、この隙間に樹脂が微量入りこむことにより、これがバリとなって残り、上記のような課題を生ずることとなる。特にこの方法によると、穴９２１１の断面は上面において直角の部分を有しかつその部分にバリ９２１２が生じていることとなるため、バリ９２１２の悪影響は大きい。なおこの場合における容器の穴の部分近傍の部分断面図を図１１に示しておく。
【０００８】
そこで、本発明は、上記課題を鑑み、より滑らかな穴断面を有する容器及びその製造方法を提供することを目的とする。
【課題を解決するための手段】
【０００９】
本発明者らは、上記課題について鋭意検討をおこなっていたところ、蓋部の成型位置を調整し、スライドコアをコアの蓋内面側とは反対の側（以下、蓋の外面側となるため「蓋外面側」という。）から挿入可能となるようにしたことで、より滑らかな穴断面を形成させることが可能であることを発見し、本発明を完成させるに至った。
【００１０】
すなわち、本発明の一手段に係る容器の製造方法は、コアと、キャビティと、スライドコアとを間隙を設けて配置し、間隙に樹脂を充填することによって、穴のあいた容器本体部と、容器本体部の穴を覆う蓋部と、を有する容器を製造する方法であって、コアとキャビティの間隙に樹脂を充填することにより容器本体部の一部を形成すると共に、コアとキャビティとの組合せに対応して容器本体部の一部に穴を形成し、キャビティとスライドコアの間隙に樹脂を充填することにより蓋部を形成し、スライドコアとコアとの間隙に樹脂を充填することにより容器本体部の残りの一部を形成することを特徴とする。
【００１１】
また、本発明の他の一手段に係る容器は、穴が形成された容器本体部と、ヒンジ部を介して容器本体部と接続された蓋部と、を有する容器であって、容器本体部の穴の内側断面は、内周面の上下端が角の無い曲面となっていることを特徴とする。
【発明の効果】
【００１２】
以上のとおり、本発明によると、蓋を有する容器としつつもスライドコアを蓋外面側から挿入させることが可能となり、滑らかな穴断面を有する容器及びその製造方法を提供することができる。
【発明を実施するための最良の形態】
【００１３】
以下、本発明の実施の形態について図面を用いて具体的に説明するが、本発明は多くの異なる形態による実施が可能であり、以下の実施形態の記載、図面の記載そのものにのみ狭く限定されるものではない。
【００１４】
図１は、本実施形態に係る製造方法により製造される容器１の概略斜視図であり、図２は、図１におけるＡ−Ａ’断面図（ただし、蓋部１３が外面側に折りたたまれた状態の図）を示す。
【００１５】
図１及び図２で示されるように、本実施形態に係る容器１は、穴１１１が形成される容器本体部１１と、容器本体部１１にヒンジ部１２を介して接続される蓋部１３と、を有して構成されている。なお蓋部１３は、ヒンジ部１２を介して折りたたみ可能であり、折りたたまれた状態で蓋部１３は、容器本体部１１の穴１１１を覆うことができる。また蓋部１３の内面にはリブ１３１が形成されており、穴１１１の内周面に引っ掛けることで穴１１１を覆う状態を安定的に維持することができる。また、蓋部１３の先端は、例えば図１で示すように、折れ曲がり部１３２が形成され、容器本体部における穴１１１の密封性を高めている。
【００１６】
ここで、本実施形態に係る容器の製造方法（以下「本製造方法」という。）について詳細に説明する。図３は、本製造方法において用いられる金型２を組み合わせた場合における断面図であり、図４は図３における一部（図中点線による丸の部分の）部分拡大図を示す。なおこの断面図は、図２におけるＡ−Ａ’断面図と同じ面で切断した場合の断面図である。
【００１７】
本実施形態において用いられる金型２は、コア２１と、キャビティ２２と、スライドコア２３と、を組み合わせて構成されており、コア２１と、キャビティ２２と、スライドコア２３は、狭い間隙を設けて配置され、この間隙に樹脂を充填することによって容器を製造することができる。
【００１８】
コア２１は、製造される容器の内面を形成するために用いられるものであり、金型の中でも主要な部材である。また、本実施形態により製造される容器１の容器本体部１１には穴１１１が形成されているため、コア２１には、この穴１１１に対応して突出した穴形成部２１１が形成されている。また本実施形態において、コア２１には、容器を形成する際に充填された樹脂を冷却するための冷却手段２１２が設けられている。また、本実施形態に係るコア２１は、移動手段（図示省略）に接続されており、キャビティ２２に対して相対的に移動可能となっている（例えば図３における矢印方向参照）。
【００１９】
本実施形態に係るキャビティ２２は、コア２１と間隙を設けて組み合わされるものである。なお、コア２１とキャビティ２２の間隙に樹脂が充填されると、樹脂は容器１の容器本体部１１の一部となる。また、キャビティ２２には、コア２１における穴形成部２１１と同様の形を有する穴形成部２２１が形成されており、コア２１とキャビティ２２が組み合わされた状態においてこれらの穴形成部２１１、２２１は密着されている。この結果、この部分が容器本体部１１における穴１１１となる。また本実施形態に係るキャビティ２２には、間隙に樹脂を供給するためのホットランナー２２２、冷却手段２１２が形成されている。またここで、この金型を用いて製造される容器１におけるこの穴近傍における部分断面図を図５に、ヒンジ部１２近傍の部分断面図を図６にそれぞれ示しておく。
【００２０】
本実施形態に係るスライドコア２３は、上記コア２１、キャビティ２２と組み合わされて容器１を形成するために必要な金型の部材の一つであり、移動手段（図示省略）に接続され、キャビティ２２に対して相対的に移動可能となっている。ただし、本実施形態においてスライドコア２３は、キャビティ２２に対するコア２１の移動方向（コア２１とキャビティ２２とを組み合わせる方向）に対して、略垂直な方向に移動可能であって、しかも、コア２１の穴形成部２１１の上面２１１１又は容器本体部の内側の面に対応した面２１３に略平行であって、蓋内面側ではなく蓋外面側から挿入される構成となっている（例えば図３における矢印方向参照）。この結果、図３で示すように、キャビティ２２とスライドコア２３の間隙に樹脂を充填することにより蓋部を形成することができ、スライドコア２３とコア２１との間隙に樹脂を充填することで容器本体部１１の残りの一部を形成することができる。なお本実施形態において、形成される蓋部１３は、容器本体部１１の上面と略平行な状態で形成されている。
【００２１】
ここで改めて本実施形態に係る容器の製造方法の効果について説明する。まず、上述の公知の製造方法では、図９で示されるように、蓋部は容器本体部の面に対し略垂直な方向に立てた状態で形成されていたため、蓋部の先端が折れ曲がっている構成上、穴を形成する側にキャビティを配置することができず、スライドコアを穴形成部の上面に略平行であってしかも内面側から挿入及び引き抜く配置しかできなかった。この結果、スライドコアの下面（コア側の面）を平らにしておく必要があり、スライドコアの下面に凹凸を設けることが殆どできず、容器本体部に穴を形成するためには下側のコアにそのための凹凸を全て形成しておかなければならなかった、この結果、穴の上側断面は上記図１１の拡大図で示すように、ほぼ直角となりしかもバリが残ってしまっていた。
【００２２】
更に、公知の製造方法によると、蓋部を容器本体部の上面に対し略垂直な方向に立てる必要から、スライドコアが大きくなってしまっていた。結果、キャビティに樹脂を充填するためのランナーや樹脂を冷却する冷却機構を設ける十分な体積を確保できなかった。そしてこの結果、コールドランナーを採用せざるを得ず、樹脂の充填及び冷却に時間がかかり製造効率を十分に高くできず、コストが高くなってしまうといった課題があった。
【００２３】
また、公知の製造方法によると、蓋部の内側面がスライドコアにより形成されるため、例えば返しの付いたリブ等の複雑な構造を有するものを蓋部の内側に設けようとすると、移動するスライドコアに更に可動可能なピンを設ける等の複雑な仕組みを必要とするため、構成の設計が極めて困難となるため、容器をしっかりと密封させるにはリブ等を形成するのではなく、容器本体部側に蓋部を引っ掛けるための突起部を設けるなど、より精度が必要とされる工夫を更に加える、又は、容器の密封性に妥協点を見出さざるを得なかった。
【００２４】
これに対し、本実施形態に係る容器の製造方法によると、蓋部を蓋外面側に倒した構成とすることで、スライドコアの挿入、引抜方向を蓋外面側から行なうことができるようになり、穴を形成する位置を蓋内面側即ちコアとキャビティとの間にすることができ、コア、キャビティそれぞれに穴を形成するための凹凸（穴形成部）を設けることができるようになる。この結果、例えば図４の部分断面図で示すように、穴の内周面の上下端を角の無い曲面とすることができる。特にこの場合、コアとキャビティとの間で穴を形成することとなるため、コアとキャビティの穴形成部同士を強く密着させることが可能となりいわゆるバリの発生を極めて少なく抑えることができるようになるだけでなく、仮に、樹脂が入り込むことによりバリが発生した場合、穴形成部のズレによって段差が発生した場合でも、上記図１１で示すような穴の内周面の上端の直角部分に形成されることが無いため、バリによる手触りの悪化（指に対する刺激）、消費者の手に引っかかってしまう虞を格段に低くすることができる。なお、本実施形態において、蓋部１３は、容器本体部の上面と蓋部の内側面（即ち閉じた状態）の角度を０度とした場合、この角度が９０度よりも大きく１８０度以下であることが必要であり、好ましくは１２０度以上１８０度以下、より好ましくは１５０度以上１８０度以下で、更に好ましくはほぼ１８０度である。また更に、本実施形態で示すように、蓋部１３の先端に折れ曲がり部１３２が形成されているため、上記に加え、容器本体部の上面とこの折れ曲がり部１３２の面とがなす角を９０度以上としておくことが好ましい。このようにすることで逆テーパーとなることなく効率的に容器を製造することができる。なおリブ１３１における側面１３１１においても同様であり、特にリブ１３１の側面１３１１において、台形状となるようテーパーをつけておくと、蓋部１３を１８０度より少なくした場合においても逆テーパーとなるのを防止できる点で有用である。
【００２５】
また、本実施形態に係る容器の製造方法によると、蓋部が蓋外面側に傾いた構成となるため、スライドコアは薄く小さくなるものの、キャビティを十分大きくすることが可能となるため、樹脂を供給するランナーと、樹脂を冷却する冷却機構を容易に配置することができるようになる。この結果、加熱装置を必要とするホットランナーであっても採用することが容易に可能となり、製造時間の短縮即ち製造効率を高めることができ、容器の単価を格段に低減させることが可能となる。
【００２６】
更に、本実施形態に係る容器の製造方法によると、蓋部を蓋外側面に倒すことで、蓋部１３の蓋内側面をキャビティで形成することができる。そしてランナーが形成されるキャビティを位置の固定されたものとすることができるため、例えば図７の概略図で示すように、固定されるキャビティ側にピン２２３を設けるだけで済むため、可動のスライドコアに可動のピンを設けるといった複雑なことを行なう必要がなくなり、構造の複雑化をできるだけ抑え、容易に容器に蓋部１３に突起の付されたリブ１３１を設けることができ、より簡便、安定的且つ確実に穴を蓋部で覆うことができるようになる。なお、この場合におけるリブ１３１形成について説明しておく。（１）まず、金型に樹脂を充填した後、ピン２２３をキャビティ２２に対し可動な状態とし、容器の蓋部１３をキャビティ２２から離す一方、ピン２２３をリブ１３１の突起１３１２が付された側（外側）に残す。（２）次に、ピン２２３を引き上げ、リブ１３１の外側を開放する。これにより、蓋部とキャビティとを完全に分離することができる。なおピン２２３を引き上げる際、リブ１３１の外面側には突起１３１２が存在しているが、リブ１３１の内面側は開放されているため、樹脂の弾力によりリブがしなり、容易に分離できる。
【００２７】
以上、本実施形態に係る容器の製造方法によると、蓋を有する容器としつつもスライドコアを穴が形成される側とは反対側から挿入させることが可能となり、滑らかな穴断面を有する容器を製造することができ、しかも製造効率をより向上させることができる。
【産業上の利用可能性】
【００２８】
本発明は、例えば菓子等の容器及びその製造方法として産業上の利用可能性がある。
【図面の簡単な説明】
【００２９】
【図１】実施形態に係る容器の概略斜視図である。
【図２】図１におけるＡ−Ａ’断面図である。
【図３】実施形態に係る金型の断面図（図１のＡ−Ａ’に相当する断面図）である。
【図４】実施形態に係る金型の部分断面図（図３中の点線の丸の部分近傍）である。
【図５】実施形態に係る容器の穴近傍の部分断面図である。
【図６】実施形態に係る容器のヒンジ部近傍の部分断面図である。
【図７】実施形態に係る容器の蓋部のリブを形成する場合における蓋部及びキャビティの概略部分断面図である。
【図８】公知の容器の概略斜視図である。
【図９】公知の容器を製造するための金型の断面図である。
【図１０】図８の金型の一部分（図中の点線による丸の部分近傍）の拡大図である。
【図１１】公知の容器の穴近傍の部分断面図である。
【符号の説明】
【００３０】
１…容器、１１…容器本体部、１２…ヒンジ部、１３…蓋部、２１…コア、２２…キャビティ、２３…スライドコア、８１…コア、８２…キャビティ、８３…スライドコア、９１…下側の容器、９２…上側の容器
【図１】
2010120308.tif 000003
【図２】
2010120308.tif 000004
【図３】
2010120308.tif 000005
【図４】
2010120308.tif 000006
【図５】
2010120308.tif 000007
【図６】
2010120308.tif 000008
【図７】
2010120308.tif 000009
【図８】
2010120308.tif 000010
【図９】
2010120308.tif 000011
【図１０】
2010120308.tif 000012
【図１１】
2010120308.tif 000013